(57)【要約】  【課題】ラウンジやオフィス内の空間を仕切る場合等に好適に使用される、淡い光を透過可能なスクリーンにおいて、素材の風合いを残しつつ光の模様などが出現しないように構成する。  【解決手段】枠状をなすスクリーン本体と、このスクリーン本体の両面に配された対をなす表装材２Ａとを具備してなるスクリーンにおいて、前記各表装材２Ａが、それぞれ光を通しにくい難透光部２ｘと、光を通しやすい透光部２ｙとをランダムに混在させた状態で備えている構成を採用する。【選択図】図８
2020052173.tif 000002
【特許請求の範囲】
【請求項１】
枠状をなすスクリーン本体と、このスクリーン本体の両面に配された対をなす表装材とを具備してなるものであって、
前記各表装材は、それぞれ光を通しにくい難透光部と、光を通しやすい透光部とをランダムに混在させて備えたものであるスクリーン。
【請求項２】
前記スクリーン本体は、枠状に配されたフレームの内側に空洞領域を備えたものであり、前記両表装材は、その空洞領域を覆うようにして前記フレームに添設されたものである請求項１記載のスクリーン。
【請求項３】
前記各表装材は、前記フレームに対応する部位が前記難透光部により構成され、前記空洞領域に対応する部位に前記難透光部と前記透光部とをランダムに混在させて備えたものである請求項２記載のスクリーン。
【請求項４】
前記両表装材は、全体として袋状をなすように前記フレームの外側において連続させてある請求項１、２又は３記載のスクリーン。
【請求項５】
前記表装材は、糸素材を用いて作られたニットであり、
前記難透光部は、糸素材が密に組まれた編み目状構造をなすものであるとともに、前記透光部は糸素材が存在しない孔状をなすものである請求項１、２又は３記載のスクリーン。
【請求項６】
前記フレームは、断面円形をなすパイプ材製のものである請求項２又は３記載のスクリーン。
【発明の詳細な説明】
【技術分野】
【０００１】
本発明は、ラウンジやオフィス内の空間を仕切る場合等に好適に使用されるスクリーンに関する。
【背景技術】
【０００２】
従来、この種のスクリーンとして、枠状に配されたフレームの内側に空洞領域を備えたスクリーン本体と、その空洞領域を覆うようにして前記フレームに張設された表装材とを備えたものが知られている（例えば、非特許文献１参照）。
【０００３】
このようなスクリーンにおいては、表装材として編物や織物である布素材を用いたものも考えられている。ところが、前記表装材として通常の布素材を用い、その表装材を前記スクリーン本体の両面に張設した場合には、スクリーン全体に光の縞模様が出現することがある。このようなモアレ現象はそれを謳い文句にしてスクリーンの製品価値を向上させることも可能ではあるが、布素材の風合いを残しつつ光の模様などが出現しないスクリーンに対する要望も強くある。
【０００４】
このような要望は、布素材製の表装材を用いたものに限らず、淡い光を透過可能なスクリーン全般において存在するものである。
【先行技術文献】
【非特許文献】
【０００５】
【非特許文献１】“ＳＮ−ＣＬ１２１５”，コクヨ総合カタログ２０１８年版ファニチャー編，コクヨ株式会社，平成２９年１２月，ｐ．１９９
【発明の概要】
【発明が解決しようとする課題】
【０００６】
本発明は、このような事情に着目してなされたもので、前述した要望に応えることができるスクリーンを提供することを目的としている。
【課題を解決するための手段】
【０００７】
請求項１記載の発明に係るスクリーンは、枠状をなすスクリーン本体と、このスクリーン本体の両面に配された対をなす表装材とを具備してなるものであって、前記各表装材は、それぞれ光を通しにくい難透光部と、光を通しやすい透光部とをランダムに混在させて備えたものである。
【０００８】
請求項２記載の発明に係るスクリーンは、請求項１記載のものにおいて、前記スクリーン本体が枠状に配されたフレームの内側に空洞領域を備えたものであり、前記両表装材がその空洞領域を覆うようにして前記フレームに添設されたものである。
【０００９】
請求項３記載の発明に係るスクリーンは、請求項２記載のものにおいて、前記各表装材は、前記フレームに対応する部位が前記難透光部により構成され、前記空洞領域に対応する部位に前記難透光部と前記透光部とをランダムに混在させて備えたものである。
【００１０】
請求項４記載の発明に係るスクリーンは、請求項１、２又は３記載のものにおいて、前記両表装材が、全体として袋状をなすように前記フレームの外側において連続させてあるものである。
【００１１】
請求項５記載の発明に係るスクリーンは、請求項１、２又は３記載のものにおいて、前記表装材が糸素材を用いて作られたニットであり、前記難透光部は糸素材が密に組まれた編み目状構造をなすものであるとともに、前記透光部は糸素材が存在しない孔状をなすものである。
【００１２】
請求項６記載の発明に係るスクリーンは、請求項２又は３記載のものにおいて、前記フレームが断面円形をなすパイプ材製のものである。
【発明の効果】
【００１３】
本発明によれば、淡い光を透過可能なスクリーンにおいて、素材の風合いを残しつつ光の模様などが出現しないように構成することができる。
【図面の簡単な説明】
【００１４】
【図１】本発明の一実施形態に係るスクリーンシステムを示す斜視図。
【図２】同実施形態に係るスクリーンシステムを示す正面図。
【図３】同実施形態に係る一方のスクリーンを示す分解斜視図。
【図４】図２におけるＡ−Ａ線に沿った要部拡大断面図。
【図５】同実施形態に係る一方のスクリーンのスクリーン本体を示す分解斜視図。
【図６】図２におけるＣ部拡大図。
【図７】図２におけるＤ部拡大図。
【図８】図２におけるＸ部拡大図。
【図９】同実施形態に係る他方のスクリーンのスクリーン本体を示す分解斜視図。
【発明を実施するための形態】
【００１５】
本発明の一実施形態を、図１〜図９を参照しつつ説明する。
【００１６】
この実施形態は、本発明を２枚のスクリーンＳ１を連結してなるスクリーンシステムＳＳに適用した場合のものである。
【００１７】
このスクリーンシステムＳＳは、図１及び図２に示すように、側縁部に磁石Ｍ１、Ｍ２を設けた２枚のスクリーンＳ１、Ｓ２を具備してなり、それらのスクリーンＳ１、Ｓ２を前記磁石Ｍ１、Ｍ２の磁力を利用して連結することができるようにしたものであって、前記各スクリーンＳ１、Ｓ２は、少なくとも前記側縁部における共通の高さ位置Ｈに基本の磁石Ｍ１を有している。この実施形態のスクリーンＳ１、Ｓ２は、基本の磁石Ｍ１よりも上に磁石を有しないタイプのものである。そして、これら両スクリーンＳ１、Ｓ２は、基本の磁石Ｍ１よりも一定の下方離間距離Ｚだけ下に偏移した位置に下段の磁石Ｍ２を有している。以下、各スクリーンＳ１、Ｓ２について説明する。
【００１８】
＜一方のスクリーンＳ１＞
一方のスクリーンＳ１は、平面視直線状をなすストレートタイプのものであり、図１〜図４に示すように、枠状をなすスクリーン本体１と、このスクリーン本体１の両面に配された対をなす表装材２Ａ、２Ｂとを具備してなる。各表装材２Ａ、２Ｂは、図８に示すように、それぞれ光を通しにくい難透光部２ｘと、光を通しやすい透光部２ｙとをランダムに混在させて備えたものである。すなわち、図３及び図４に示すように、スクリーン本体１は、枠状に配されたフレーム３〜６の内側に空洞領域ＣＡを備えたものであり、両表装材２Ａ、２Ｂは、その空洞領域ＣＡを覆うようにしてフレーム３〜６に添設されている。そして、図１〜図４に示すように、各表装材２Ａ、２Ｂは、フレーム３〜６に対応する部位２１が難透光部２ｘにより構成され、空洞領域ＣＡに対応する部位２２に難透光部２ｘと透光部２ｙとをランダムに混在させて備えたものである。以下、具体的に説明する。
【００１９】
スクリーン本体１は、図１〜図３及び図５に示すように、右、左のフレーム３、４と、これら右、左のフレーム３、４の上端間を接続する上のフレーム５と、右、左のフレーム３、４の下端間を接続する下のフレーム６とを備えた枠状のもので、下のフレーム６には、接地体として右、左対をなす脚体６２が設けられている。各フレーム３〜６は、断面円形をなすパイプ材製のものであり、具体的には、非磁性体であるアルミパイプ素材により作られている。右、左のフレーム３、４は、起立姿勢をなすもので、上端３ａ、４ａ近傍部及び下端３ｂ、４ｂ近傍部の空洞領域ＣＡ側にそれぞれネジ挿通孔３ｘ、４ｘ、３ｙ、４ｙが設けられている。上のフレーム５は水平姿勢をなすもので、右、左両端に下方に延出する垂下部５１を有しており、それら両垂下部５１の下端５１ａ近傍部における空洞領域ＣＡ側にそれぞれネジ挿通孔５１ｘが設けられている。下のフレーム６は水平姿勢をなすもので、右、左両端に上方に延出する起立部６１を有しており、それら両起立部６１の上端６１ａ近傍部における空洞領域ＣＡ側にそれぞれネジ挿通孔６１ｘが設けられている。
【００２０】
そして、図５〜図７に示すように、右、左のフレーム３、４の上端３ａ、４ａと上のフレーム５における垂下部５１の下端５１ａとを上のフレーム接続部材７Ａにより接続するとともに、図５に示すように、右、左のフレーム３、４の下端３ｂ、４ｂと下のフレーム６における起立部６１の上端６１ａとを下のフレーム接続部材７Ｂにより接続している。図５〜図７に示すように、上のフレーム接続部材７Ａは、下側の片半部が右、左のフレーム３、４の上端部に嵌合するとともに、上側の片半部が上のフレーム５における垂下部５１の下端部に嵌合する棒状のもので、非磁性体である合成樹脂製のものである。上のフレーム接続部材７Ａの下側の片半部には、右、左のフレーム３、４のネジ挿通孔３ｘ、４ｘに対応する雌ネジ孔７１が形成されており、また、上側の片半部には、上フレームの垂下部５１に設けられたネジ挿通孔５１ｘに対応する雌ネジ孔７１が形成されている。そして、接続用のネジｖをネジ挿通孔３ｘ、４ｘ、５１ｘから対応する雌ネジ孔７１にそれぞれ螺合させ緊締することによって、右、左のフレーム３、４と上のフレーム５とが剛結されるようになっている。なお、７３は、組立時に上のフレーム接続部材７Ａをフレーム３、４に位置決めするための位置決め突起である。そして、右、左対をなす上のフレーム接続部材７Ａの下端には、それぞれ対応する右、左のフレーム３、４内に延出する磁石ホルダ７２が形成されており、磁石ホルダ７２の内面（より具体的には、後述するホルダ本体７２１の内周面７２１ａ）とフレームの内周面３ｓ、４ｓとの間に基準の磁石Ｍ１を収容する磁石収容室７２ａが形成されている。一方、下のフレーム接続部材７Ｂは、以上で説明した上のフレーム接続部材７Ａを上下に反転させたものであり、同一又は対応する部分に同一の符号を付して説明を省略する。しかして、下のフレーム接続部材７Ｂの磁石ホルダ７２の内面（より具体的には、後述するホルダ本体７２１の内周面７２１ａ）とフレームの内周面３ｓ、４ｓとの間に下方の磁石Ｍ２を収容する磁石収容室７２ａが形成されている。
【００２１】
ここで磁石収容室７２ａに関連して磁石Ｍ１、Ｍ２の取付け構造について説明する。このスクリーンＳ１は、図４〜図７に示すように、他のスクリーンＳ２を連結すべき縁部に磁石収容室７２ａを設け、その磁石収容室７２ａ内に連結用の磁石Ｍ１、Ｍ２を遊動可能に収容してなるものである。磁石収容室７２ａの内壁面（ホルダ本体７２１の内周面７２１ａ）の少なくとも一部は円筒状のものであり、その磁石収容室７２ａに収容された磁石Ｍ１、Ｍ２が内壁面の円筒状をなす部位に２つの隣接する角部Ｍ１ａ、Ｍ２ａを同時に線接触させ得る角柱状をなしている。この実施形態の磁石Ｍ１、Ｍ２は、４つの角部を有する四角柱状のもので、隣接する一対の角部間に位置する部位がＮ極となり、他方の隣接する一対を角部間に位置する部位がＳ極となるように着磁されている。なお、下段の磁石Ｍ２は基本の磁石と全く同一の形状をなしているため、その角部Ｍ２ａの磁石収容室７２ａの内壁面への線接触の態様は図示を省略している。
【００２２】
このスクリーンＳ１は、前述したように枠状に接続された複数のフレーム、すなわち、右、左のフレーム３、４、上のフレーム５、及び下のフレーム６を有し、右、左のフレーム３、４内に磁石収容室７２ａが設けられている。この実施形態のスクリーンＳ１は、突き合わせた右、左のフレーム３、４と上のフレーム５とに内嵌する右、左対をなすフレーム接続部材７Ａを有し、これらのフレーム接続部材７Ａを利用して基本の磁石Ｍ１を収容するための磁石収容室７２ａが形成されている。また、このスクリーンＳ１は、突き合わせた右、左のフレーム３、４と下のフレーム６とに内嵌する右、左対をなすフレーム接続部材７Ｂを有し、これらのフレーム接続部材７Ｂを利用して下段の磁石Ｍ２を収容するための磁石収容室７２ａが形成されている。なお、フレーム３〜６は前述したように断面円形をなす非磁性体製のパイプ材により構成されたものであり、右、左のフレーム３、４の内周面３ｓ、４ｓが、前記磁石収容室７２ａの円筒状をなす内壁面の一部を構成している。
【００２３】
以上説明した構造について観点を変えて説明すれば、このスクリーンＳ１は、非磁性体製の磁石ホルダ７２と、この磁石ホルダ７２に保持された連結用の磁石Ｍ１、Ｍ２とを備え、その磁石Ｍ１、Ｍ２を保持した磁石ホルダ７２がスクリーン本体１の縁部に取り付けられている。詳述すれば、スクリーン本体１は、フレーム３〜６を主体に構成されたフレーム構造をなすものであり、スクリーン本体１の縁部を構成する右、左のフレーム３、４に磁石ホルダ７２が磁石Ｍ１、Ｍ２とともに仕込まれている。すなわち、スクリーン本体１は、複数のフレーム３〜６がフレーム接続部材７Ａ、７Ｂを介して接続されたフレーム構造を備えたものであり、磁石ホルダ７２がフレーム接続部材７Ａ、７Ｂに一体に設けられている。具体的には、磁石ホルダ７２は、フレーム接続部材７Ａ、７Ｂの端面から突設されフレーム３、４の内周面の一部に添接する部分円筒体状をなすホルダ本体７２１と、このホルダ本体７２１の突出端に設けられフレーム接続部材７Ａ、７Ｂと協働して磁石Ｍ１、Ｍ２の上下動を規制する端板部７２２とを備えたもので、剛性樹脂によりフレーム接続部材７Ａ、７Ｂとともに一体に成型されている。しかして、磁石収容室７２ａは、部分円弧状をなすフレーム３、４の内周面３ｓ、４ｓの一部と、この内周面３ｓ、４ｓに対向するホルダ本体７２１の内周面７２１ａとの間に形成されたもので、磁石収容室７２ａの上下端はフレーム接続部材７Ａ、７Ｂと磁石ホルダ７２の端板７２２とによって塞がれている。
【００２４】
以上説明したスクリーン本体１に装着される表装材２Ａ、２Ｂについて説明すれば、次の通りである。スクリーン本体１の一面側に張設された表の表装材２Ａと、他面側に張設された裏の表装材２Ｂは、全体として袋状をなすようにフレーム３〜６の外側において連続させてある。すなわち、これら表の表装材２Ａと裏の表装材２Ｂは、例えば、上縁と左右両側縁とが繋がった袋状の編み物として編み上げられ、スクリーン本体１に上から被せて下縁同士を接続することによってフレーム３〜６の外側に添設されるものである。この実施形態の表装材２Ａ、２Ｂは、糸素材２ｓを用いて作られたニットであり、難透光部２ｘは、糸素材２ｓが比較的密に編まれた編み目状構造をなすものであるとともに、透光部２ｙは糸素材２ｓが存在しない孔状をなすものである。図８は、図２における領域Ｘに存在する表の表装材２Ａのみを拡大して示すものである。すなわち、表の表装材２Ａは、編み目構造をなして連続する難透光部２ｘの間に多数の孔状の透光部２ｙがランダムに点在しているものである。裏の表層部２Ｂも表の表層部２Ａに準じた構成をなすもので、遠くから見た場合には両者は同じ印象を与えるが、透光部２ｙが難透光部２ｘに対してランダムに配されているので、表、裏の表層部２Ａ、２Ｂは細かく正確に比較した場合、全く異なったパターン形状をなしている。
【００２５】
＜他方のスクリーンＳ２＞
他方のスクリーンＳ２は、平面視Ｌ状をなすＬ型タイプのものであり、枠状をなすスクリーン本体１と、このスクリーン本体１の両面に配された対をなす表装材２Ａ、２Ｂとを具備してなる。
【００２６】
スクリーン本体１の構成は、上のフレーム５と下のフレーム６とが中央で直角に屈曲している点と、下のフレーム６の下に脚体６２に代えて接地体であるアジャスタ６３が設けられている点、及び、下のフレーム６の屈曲部下面側にウエイト板６４が設けられている点のみが一方のスクリーンＳ１と異なっており、基本的には一方のスクリーンＳ１と同じ考え方で構成されている。表、裏の表装材２Ａ、２Ｂについても、一方のスクリーンＳ１の場合と同じように袋状に編み上げた状態でフレーム本体に被せ、それら表裏の表装材２Ａ、２Ｂの下縁同士を下フレームの下面側で接続することによりフレーム本体に装着されている。そのため、一方のスクリーンＳ１と同一又は相当する部分には同じ符号を付して説明を省略する。
【００２７】
なお、これら両スクリーンＳ１、Ｓ２の接地体は、相互に異なった形式のものであるが、その支持高さは揃えてある。すなわち、少なくとも両スクリーンＳ１、Ｓ２の基本の磁石Ｍ１の高さ位置Ｈは同じになるように（床面Ｆと各磁石Ｍ１、Ｍ２との間の離間距離Ｐが同じになるように）設定されている。そして本実施形態では、両スクリーンＳ１、Ｓ２における基本の磁石Ｍ１と下段の磁石Ｍ２との間の距離である下方離間距離Ｚも同じになるように設定されている。
【００２８】
＜一実施形態の作用効果＞
このような構成のものであれば、表、裏２枚の表装材２Ａ、２Ｂを通して光がスクリーンＳ１を透過することになるため、淡い光が使用者に到達するものであり心地良い使用感を得ることができる。特にこの実施形態の場合、表装材２Ａ、２Ｂとしてニットを用いているので、優れた風合いを醸し出すことが可能であり、木洩れ日のような光の漏えいを楽しむことができる。しかも、２枚の表装材２Ａ、２Ｂは、それぞれ光を通しにくい難透光部２ｘと、光を通しやすい透光部２ｙとをランダムに混在させて備えたものであるため、モアレ現象の発生を防止することができ、不測の光模様が現れるのを抑止することができる。
【００２９】
また、前記スクリーン本体１は、枠状に配されたフレーム３〜６の内側に空洞領域ＣＡを備えたものであり、前記両表装材２Ａ、２Ｂは、その空洞領域ＣＡを覆うようにして前記フレーム３〜６に添設されたものであるため、光の透過領域を大きく確保することができる。
【００３０】
さらに、各表装材２Ａ、２Ｂは、前記フレーム３〜６に対応する部位が前記難透光部２ｘにより構成され、前記空洞領域ＣＡに対応する部位に前記難透光部２ｘと前記透光部２ｙとをランダムに混在させて備えたものにしているので、フレーム３〜６の存在を無理なく自然に隠すことができ、良好な外観を確保することができる。
【００３１】
また、両表装材２Ａ、２Ｂは全体として袋状をなすようにいるので、フレーム３〜６に被せるようにしてスクリーン本体１に装着することができ、組付けに要する工数を最小限に止めることができる。
【００３２】
そして、表装材２Ａ、２Ｂが糸素材２ｓを用いて作られたニット製のものであり、難透光部２ｘを糸素材２ｓが密に組まれた編み目状構造をなすものにするとともに透光部２ｙを糸素材２ｓが存在しない孔状をなすものにしておけば、１本の糸素材２ｓにより両表装材２Ａ、２Ｂを一気に編み上げることができる。この編み上げ作業は、例えば、プログラム式の自動編み機に糸素材２ｓが存在しない孔がランダムな位置に形成されるよう予めプログラムしておくことにより実現することができる。
【００３３】
また、フレーム３〜６が断面円形のパイプ材により作られたものであれば、袋状に連続する表裏の表装材２Ａ、２Ｂをそのフレーム３〜６に円滑に被せてスクリーン本体１に装着することができる。
【００３４】
＜他の実施形態＞
なお、本発明は以上に述べた実施形態に限らない。
【００３５】
例えば、スクリーン本体はパイプ材を用いたフレーム構造のものに限られず、窓のあるパネル構造のもの等、種々変形が可能である。
【００３６】
表装材もニット製のものに限定されないのは勿論であり、例えば、透明シートの所要箇所に難透光性部を印刷により形成し、それら難透光性部間に印刷されていない透明な透光部をランダムに点在させるなど、種々のものが考えられる。さらに、表の表装材を反転させて裏の表装材として使用するようにしてもよい。
【００３７】
前記実施形態では、複数のスクリーンを磁石により連結するようにしたものについて説明したが、磁石以外のもので連結するスクリーンや、単独で使用するスクリーン等にも本発明を適用可能である。
【００３８】
その他、本発明の趣旨を損ねない範囲で種々に変形してよい。
【符号の説明】
【００３９】
Ｓ１、Ｓ２…スクリーン
１…スクリーン本体
２Ａ、２Ｂ…表装材
２ｘ…難透光部
２ｙ…透光部
２ｓ…糸素材
２１…フレームに対応する部位
２２…空洞領域に対応する部位
３〜６…フレーム
ＣＡ…空洞領域
【図１】
2020052173.tif 000003
【図２】
2020052173.tif 000004
【図３】
2020052173.tif 000005
【図４】
2020052173.tif 000006
【図５】
2020052173.tif 000007
【図６】
2020052173.tif 000008
【図７】
2020052173.tif 000009
【図８】
2020052173.tif 000010
【図９】
2020052173.tif 000011